(57)【要約】      （修正有）【課題】ペンケースを開状態にすると、ペンスタンドを傾けることができ、収納するペン等の中から必要なペンを容易に見つけることができ、見つけたペンを斜めから簡単に取り出すことができるスタンド型ペンケースを提供する。【解決手段】本体１の内部にペン等を収納するペンスタンド２を備え、スライドファスナーのスライダーを引手カバー１９により動作させて、蓋部１１を前面部１７側で開状態にすると、ペンスタンドが、回転軸２２を中心に回転し、垂直に立っている状態から前面に向けて斜めに傾き、ストッパーベルト２４によって傾きを停止させる。筆記具等を使用する場合は、蓋部を開状態にし、ペンスタンドを手前側に傾けて、収納するペン等の中から必要なペンを容易に見つけて斜めから容易に取り出すことができる。【選択図】図６
0003228768.tif 000002
【実用新案登録請求の範囲】
【請求項１】
スタンド型ペンケースであって、
蓋部を備える本体の内部にペンスタンドを収納し、
前記ペンスタンドが、前記蓋部を開状態にすると、垂直に立っている状態から斜めに傾けられる機構を備えることを特徴とするスタンド型ペンケース。
【請求項２】
機構は、本体の側面の内側にペンスタンドを回転させる回転軸を備え、前記回転軸で前記ペンスタンドを回転させて前記ペンスタンドを傾けられるものであることを特徴とする請求項１記載のスタンド型ペンケース。
【請求項３】
本体は、ペンスタンドが傾くのを特定の位置で止めるストッパーを備えることを特徴とする請求項１又は２記載のスタンド型ペンケース。
【請求項４】
ストッパーは、本体の背面の内側とペンスタンドの背面とを接続するベルトであることを特徴とする請求項３記載のスタンド型ペンケース。
【請求項５】
ペンスタンドは、内部に仕切り部を有することを特徴とする請求項１乃至４のいずれか記載のスタンド型ペンケース。
【請求項６】
本体の蓋部は、本体の両側面部に沿って形成される２つのスライドファスナーによって開閉されることを特徴とする請求項１乃至５のいずれか記載のスタンド型ペンケース。
【請求項７】
本体の背面の内側上部に、小物を収納するポケット部を設けたことを特徴とする請求項１乃至６のいずれか記載のスタンド型ペンケース。
【請求項８】
本体の蓋部の先端に第１のマグネット部を内蔵し、前記蓋部が閉状態で当該第１のマグネット部が接触する本体の前面部の位置に第２のマグネット部を内蔵し、前記蓋部が開状態で前記第１のマグネット部が接触する本体の背面部の位置に第３のマグネット部を内蔵したことを特徴とする請求項１乃至７のいずれか記載のスタンド型ペンケース。
【考案の詳細な説明】
【技術分野】
【０００１】
本考案は、スタンド型ペンケースに係り、特に、開状態にするとペンスタンドを前面に傾けることができるスタンド型ペンケースに関する。
【背景技術】
【０００２】
［先行技術の説明］
従来、スタンド型のペンケースは、立てて使うことができるため、デスク上で場所を取らず、様々の種類のものがある。
ただ、スタンド型のペンケースの場合、ペン等が垂直に立っているので、実際ペンを取り出すときに真上から摘み上げる必要があり、取り出し難い。また、スタンド内に複数のペンがある場合に、その中から目的のペンを探すのも難しい。特に、背の低いペンを見つけるのが困難である。
【０００３】
［関連技術］
尚、関連する先行技術としては、実用新案登録第３０７４１００号公報「ペンスタンド」（特許文献１）、実用新案登録第３２１４７７１号公報「文具ケース」（特許文献２）、実開昭６２−０１６３１７号公報「筆記具ケース」（特許文献３）、実開平０３−１１８０１９号公報「ペンケース」（特許文献４）がある。
【０００４】
特許文献１には、ペンスタンドにおいて、ケース（基台）内に収められたペンを引き起こして傾斜姿勢にするペン差し体が軸で回転する構成が記載されている。
特許文献２には、文具ケースにおいて、ファスナーを開くと蓋体が前面に降りてくる構成が記載されている。
【０００５】
特許文献２には、筆記具ケースにおいて、ペンケースの蓋を取り外して、本体の支え部材として収納するペンを傾斜姿勢とする構成が記載されている。
特許文献２には、ペンケースにおいて、ペンケースの蓋体を直角に折り曲げて本体の支え部材として収納するペンを傾斜姿勢とする構成が記載されている。
【先行技術文献】
【特許文献】
【０００６】
【特許文献１】実用新案登録第３０７４１００号公報
【特許文献２】実用新案登録第３２１４７７１号公報
【特許文献３】実開昭６２−０１６３１７号公報
【特許文献４】実開平０３−１１８０１９号公報
【考案の概要】
【考案が解決しようとする課題】
【０００７】
しかしながら、従来のスタンド型ペンケースでは、ペンケースを開状態にすると、ペンスタンドが現れるが、収納されているペン等は垂直方向に立っているので、取り出しにくく、また、目的のペンを探すことが難しいという問題点があった。
【０００８】
尚、特許文献１〜４には、ペンケースを開状態にすると、ペンスタンドを斜めに傾けることができる構成が記載されていない。
【０００９】
本考案は上記実状に鑑みて為されたもので、ペンケースを開状態にすると、ペンスタンドを傾けることができ、ペンスタンドの開口部が使用者に向くことになるため、ペン等を見つけるのが容易になり、収納するペン等を斜めから簡単に取り出すことができるスタンド型ペンケースを提供することを目的とする。
【課題を解決するための手段】
【００１０】
上記従来例の問題点を解決するための本考案は、スタンド型ペンケースであって、蓋部を備える本体の内部にペンスタンドを収納し、ペンスタンドが、蓋部を開状態にすると、垂直に立っている状態から斜めに傾けられる機構を備えることを特徴とする。
【００１１】
本考案は、上記スタンド型ペンケースにおいて、機構が、本体の側面の内側にペンスタンドを回転させる回転軸を備え、回転軸でペンスタンドを回転させてペンスタンドを傾けられるものであることを特徴とする。
【００１２】
本考案は、上記スタンド型ペンケースにおいて、本体が、ペンスタンドが傾くのを特定の位置で止めるストッパーを備えることを特徴とする。
【００１３】
本考案は、上記スタンド型ペンケースにおいて、ストッパーが、本体の背面の内側とペンスタンドの背面とを接続するベルトであることを特徴とする。
【００１４】
本考案は、上記スタンド型ペンケースにおいて、ペンスタンドが、内部に仕切り部を有することを特徴とする。
【００１５】
本考案は、上記スタンド型ペンケースにおいて、本体の蓋部が、本体の両側面部に沿って形成される２つのスライドファスナーによって開閉されることを特徴とする。
【００１６】
本考案は、上記スタンド型ペンケースにおいて、本体の背面の内側上部に、小物を収納するポケット部を設けたことを特徴とする。
【００１７】
本考案は、上記スタンド型ペンケースにおいて、本体の蓋部の先端に第１のマグネット部を内蔵し、前記蓋部が閉状態で当該第１のマグネット部が接触する本体の前面部の位置に第２のマグネット部を内蔵し、前記蓋部が開状態で前記第１のマグネット部が接触する本体の背面部の位置に第３のマグネット部を内蔵したことを特徴とする。
【考案の効果】
【００１８】
本考案によれば、蓋部を備える本体の内部にペンスタンドを収納し、ペンスタンドが、蓋部を開状態にすると、垂直に立っている状態から斜めに傾けられる機構を備えるスタンド型ペンケースとしているので、ペンスタンドを傾けて、収納するペン等の中から必要なペンを容易に見つけることができ、見つけたペンを斜めから容易に取り出すことができる効果がある。
【図面の簡単な説明】
【００１９】
【図１】本ペンケースの正面図である。
【図２】本ペンケースの背面図である。
【図３】本ペンケースの左側面図である。
【図４】本ペンケースの底面図である。
【図５】本ペンケースの平面図である。
【図６】本ペンケースの蓋部を開いた状態の左側面図である。
【図７】本ペンケースの使用例を示す説明図である。
【考案を実施するための形態】
【００２０】
本考案の実施の形態について図面を参照しながら説明する。
［実施の形態の概要］
本考案の実施の形態に係るスタンド型ペンケース（本ペンケース）は、本体の内部にペンを収納し、蓋部を開状態にすると、ペンスタンドが、垂直に立っている状態から前面に向けて斜めに傾く機構を備えるものとしているので、ペンスタンドを傾けて、収納するペン等の中から必要なペンを容易に見つけることができ、見つけたペンを斜めから容易に取り出すことができるものである。
【００２１】
［本ペンケース：図１〜６］
本ペンケースについて図１〜６を参照しながら説明する。図１は、本ペンケースの正面図であり、図２は、本ペンケースの背面図であり、図３は、本ペンケースの左側面図であり、図４は、本ペンケースの底面図であり、図５は、本ペンケースの平面図であり、図６は、本ペンケースの蓋部を開いた状態の左側面図である。尚、図６においては、ペンスタンドの状況が分かるように内部構成を示している。
本ペンケースは、図１〜６に示すように、基本的には、本体１と、ペンスタンド２とから構成されている。
【００２２】
［本ペンケースの各部］
次に、本ペンケースの各部について具体的に説明する。
［本体１］
本体１は、蓋部１１と、背面部１２と、底面部１３と、左側面部１４と、右側面部１５と、前面部１７とを備えている。
そして、本体１は、これらの面により中空の四角柱の形状となっている。但し、左側面部１４と右側面部１５の上部角部の正面側を、角を丸めた形状としている。これは蓋部１１の開閉を容易にするための形状である。
【００２３】
［蓋部１１］
蓋部１１は、図１，５に示すように、本体１の正面（前面）と平面（上面）を覆うように形成され、左側面部１４と右側面部１５の端部に沿って設けられた２つのスライドファスナー（ダブルファスナー）１６ａ，１６ｂによって開閉を行う。
また、蓋部１１の先端には、マグネット（第１のマグネット部）１１ａが内蔵されており、後述するように、蓋部１１の開閉を固定するために使用されている。
【００２４】
尚、スライドファイスナー１６ａ，１６ｂのスライダーが正面下側にある時は、蓋部１１は閉状態で、スライダーが上面の背面部１２側にある時は、蓋部１１は開状態である。
また、スライダーの穴には引手カバー１９が取り付けられており、２つのスライダーを連結している。この引手カバー１９を操作することでダブルファスナーを同時に動かすことができる。
【００２５】
［背面部１２］
背面部１２は、図２に示すように、蓋部１１、底面部１３、左側面部１４及び右側面部１５の一端に接続している。
また、背面部１２の底面部１３側の端部には、マグネット部（請求項における第３のマグネット部）が内蔵されており、蓋部１１が背面部１２側に折り返されると、蓋部１１の先端に内蔵した第１のマグネット部１１ａが当該第３のマグネット部に密着して固定される。尚、第３のマグネット部は、鉄板の小片でもよい。
尚、背面部１２と蓋部１１との境には、持ち手となるループ１８が形成されている。
【００２６】
［底面部１３］
底面部１３は、図４に示すように、背面部１２、左側面部１４、右側面部１５及び前面部１７の一端に接続している。
【００２７】
［左側面部１４，右側面部１５］
左側面部１４は、図３に示すように、右上の角を丸めた形状となっており、また、右下に後述する回転軸２２が形成されている。
右側面部１５も、左側面部１４と同様な形状であるが、左上の角を丸め、左下に回転軸２２が形成されている。
【００２８】
［前面部１７］
前面部１７は、図１に示すように、正面の下側に部分的に形成されている。
そして、蓋部１１の先端で、第１のマグネット部１１ａが内蔵する部分が接触する前面部１７の位置には、マグネット部（請求項における第２のマグネット部）が埋め込まれており、蓋部１１の先端が前面部１７に接触すると、第１のマグネット部１１ａと第２のマグネット部により密着して固定されるようになっている。尚、第２のマグネット部は、鉄板の小片でもよい。
【００２９】
［ペンスタンド２］
次に、ペンスタンド２について具体的に説明する。
ペンスタンド２は、図６に示すように、スタンド型ペンケースの本体１内に収納可能な大きさのサイズであり、スタンド本体２１と、回転軸２２と、仕切り部２３と、ストッパーベルト２４とを備えている。
【００３０】
［スタンド本体２１］
スタンド本体２１は、正面、背面、底面、左右側面を備え、上面を開口し、正面と背面の底面に接する部分は角を丸くした形状となっている。角を丸みのある形状とすることで、スタンド本体２１を回転しやすくするものである。上面の開口した部分を開口部と呼ぶ。
その丸みは、約Ｒ（半径）１５．０ｍｍである。
尚、丸みがあるのは、スタンド本体２１の前面から底面、底面から背面にかけてであり、側面は丸みのない平面となっている。側面を平面とすることで、ペン等が底面の中央に寄るのを防止して、収容面積を広くできる。
【００３１】
［回転軸２２］
回転軸２２は、スタンド本体２１の側面において、下側で前面寄りに設けられており、左右側面に形成されている。
回転軸２２の位置をスタンド本体２１の側面で下側の前面寄りとすることで、テコの原理からスタンド本体２１を引き出しやすく、押し込みやすいものとしている。
【００３２】
この回転軸２２は、本体１の左側面部１４と右側面部１５を貫通して設けられる。回転軸２２は、スタンド本体２１内を貫通して形成してもよいが、ペン等の収納に邪魔になるため、スタンド本体２１の側面と本体１の側面部とを接続するものとしている。
そして、スタンド本体２１は、当該回転軸２２を中心に回転可能であり、スタンド本体２１の上部を正面（前面）に引くと、垂直に立っている状態から前面に傾くよう動作するものである。
【００３３】
［仕切り部２３］
仕切り部２３は、スタンド本体２１内を仕切るもので、スタンド本体２１の前面に平行に仕切るようにする方が、スタンド本体２１を傾けたときに、筆記具等を取り出しやすくできる。
仕切り部２３は、一つ設けているが、前面に平行に２以上設けてもよい。
また、スタンド本体２１内に、前面に直交する（側面に平行となる）仕切り部を設けて、筆記具等を細かく整理できるようにしてもよい。
尚、仕切り部２３は、予め固定とはせず、仕切りパーツの樹脂版で、後から中にセットする仕様としてもよい。
【００３４】
［ストッパーベルト２４］
ストッパーベルト２４は、一端が本体１の背面部１２の内側面に接続されて固定され、他端がスタンド本体２１の背面上部に接続されて固定されている。図６では、他端はスタンド本体２１の開口部で背面の上端に接続している。
このストッパーベルト２４は、回転軸２２を中心にスタンド本体２１が傾くのを特定の角度で停止させるものである。本ペンケースでは、垂直から約３０．０°傾く（開く）ようにストッパーベルト２４の長さ、取り付け位置を調整している。
【００３５】
［ポケット部２５］
また、図６に示すように、本体１の背面部１２の内側で上部に消しゴム等の小物を収納するポケット部２５を設けている。
ポケット部２５は、ストッパーベルト２４が取り付けられた位置より上側に設けられるもので、小物を挿入する開口部は上側を向いている。この位置であれば、スタンド本体２１の動作に影響を及ぼすことがない。更に、本体１を立てた時に、蓋部１１の真下にポケット部２５が位置することになるため、蓋部１１を閉じればポケット部２５に収納した小物が飛び出してしまうことがない。
【００３６】
［本ペンケースの使用方法：図７］
次に、本ペンケースの使用方法について図７を参照しながら説明する。図７は、本ペンケースの使用例を示す説明図である。
まず、本ペンケースに、筆記具等がスタンド本体２１内に収納されて、蓋部１１が閉じられた状態とする。
図７に示すように、本ペンケースを使用する場合、引手カバー１９を持って、スライドファスナー１６ａ，１６ｂのスライダーを底面部１３側から上面に向けて引き上げて、蓋部１１を開状態にする。
【００３７】
スライドファスナー１６ａ，１６ｂのスライダーを上面の背面部１２側まで移動させ、蓋部１１を背面部１２側に折り返すと、蓋部１１の第１のマグネット部１１ａの作用により背面部１２の埋め込まれた第３のマグネット部に接着し、蓋部１１が安定して固定される。
【００３８】
次に、本体１内のスタンド本体２１の開口部を持って前面（正面）側に引き出すと、スタンド本体２１が回転軸２２を中心に回転し、垂直に立っている状態から前面に傾くようにして出てくる。
但し、ストッパーベルト２４が引っ張られた状態になって、スタンド本体２１の傾きを停止させる。垂直方向から約３０°傾くよう設計されている。
【００３９】
スタンド本体２１内は、仕切り部２３で仕切られているので、図７に示すように、筆記具等が分類されて区分けられた状態となり、スタンド本体２１が傾いて開口部が手前（前面）側の斜めに向いているので、筆記具等を取り出しやすい。
【００４０】
筆記具等の使用後は、筆記具等をスタンド本体２１内に収納する。その場合、筆記具等は、仕切り部２３によって分類して収納する。
そして、スタンド本体２１を本体１内に押し込むと、回転軸２２を中心にスタンド本体２１が回転（引き出した時とは反対方向に回転）し、ストッパーベルト２４が背面部１２の内側で折り畳まれて、スタンド本体２１が垂直に立っている状態となる。
【００４１】
蓋部１１を背面部１２から引き離し、本体１の正面に折り返す。そして、引手カバー１９を持ってスライドファスナー１６ａ，１６ｂのスライダーを正面下側まで移動させて蓋部１１を閉じる。
蓋部１１の先端に内蔵した第１のマグネット部１１ａが前面部１７に内蔵された第２のマグネット部に接着し、蓋部１１が完全に閉じられる。
このようにして、本ペンケースは使用される。
【００４２】
［実施の形態の効果］
本ペンケースによれば、本体１の内部にペン等を収納するペンスタンド２を備え、蓋部１１を開状態にすると、ペンスタンド２が、垂直に立っている状態から前面に向けて斜めに傾く機構を備えるものとしているので、筆記具等を使用する場合は、蓋部１１を開状態にし、ペンスタンド２を手前側に傾けて、収納するペン等の中から必要なペンを容易に見つけることができ、見つけたペンを斜めから容易に取り出すことができる効果がある。
尚、上述のペンスタンド２が傾く機構は一例であり、本考案の技術的思想は、種々の傾く機構を含むものである。
【産業上の利用可能性】
【００４３】
本考案は、ペンケースを開状態にすると、ペンスタンドを傾けることができ、収納するペン等の中から必要なペンを容易に見つけることができ、見つけたペンを斜めから簡単に取り出すことができるスタンド型ペンケースに適している。
【符号の説明】
【００４４】
１…本体、  ２…ペンスタンド、  １１…蓋部、  １１ａ…第１のマグネット、  １２…背面部、  １３…底面部、  １４…左側面部、  １５…右側面部、  １６ａ，１６ｂ…スライドファスナー、  １７…前面部、  １８…ループ、  １９…引手カバー、  ２１…スタンド本体、  ２２…回転軸、  ２３…仕切り部、  ２４…ストッパーベルト、  ２５…ポケット部
【図１】
0003228768.tif 000003
【図２】
0003228768.tif 000004
【図３】
0003228768.tif 000005
【図４】
0003228768.tif 000006
【図５】
0003228768.tif 000007
【図６】
0003228768.tif 000008
【図７】
0003228768.tif 000009
【手続補正書】
【提出日】令和2年8月4日(2020.8.4)
【手続補正１】
【補正対象書類名】実用新案登録請求の範囲
【補正対象項目名】全文
【補正方法】変更
【補正の内容】
【実用新案登録請求の範囲】
【請求項１】
スタンド型ペンケースであって、
蓋部を備える本体の内部にペンスタンドを収納し、
前記ペンスタンドが、前記本体の側面の内側に設けられた支点を中心に回転する機構を備え、前記蓋部を開状態にすると、垂直に立っている状態から斜めに傾くものであることを特徴とするスタンド型ペンケース。
【請求項２】
機構は、本体の側面の内側にペンスタンドを回転させる回転軸を備え、前記回転軸で前記ペンスタンドを回転させて前記ペンスタンドを傾けられるものであることを特徴とする請求項１記載のスタンド型ペンケース。
【請求項３】
本体は、ペンスタンドが傾くのを特定の位置で止めるストッパーを備えることを特徴とする請求項１又は２記載のスタンド型ペンケース。
【請求項４】
ストッパーは、本体の背面の内側とペンスタンドの背面とを接続するベルトであることを特徴とする請求項３記載のスタンド型ペンケース。
【請求項５】
ペンスタンドは、内部に仕切り部を有することを特徴とする請求項１乃至４のいずれか記載のスタンド型ペンケース。
【請求項６】
本体の蓋部は、本体の両側面部に沿って形成される２つのスライドファスナーによって開閉されることを特徴とする請求項１乃至５のいずれか記載のスタンド型ペンケース。
【請求項７】
本体の背面の内側上部に、小物を収納するポケット部を設けたことを特徴とする請求項１乃至６のいずれか記載のスタンド型ペンケース。
【請求項８】
本体の蓋部の先端に第１のマグネット部を内蔵し、前記蓋部が閉状態で当該第１のマグネット部が接触する本体の前面部の位置に第２のマグネット部を内蔵し、前記蓋部が開状態で前記第１のマグネット部が接触する本体の背面部の位置に第３のマグネット部を内蔵したことを特徴とする請求項１乃至７のいずれか記載のスタンド型ペンケース。
【手続補正２】
【補正対象書類名】明細書
【補正対象項目名】００１０
【補正方法】変更
【補正の内容】
【００１０】
上記従来例の問題点を解決するための本考案は、スタンド型ペンケースであって、蓋部を備える本体の内部にペンスタンドを収納し、ペンスタンドが、本体の側面の内側に設けられた支点を中心に回転する機構を備え、蓋部を開状態にすると、垂直に立っている状態から斜めに傾くものであることを特徴とする。
【手続補正３】
【補正対象書類名】明細書
【補正対象項目名】００１８
【補正方法】変更
【補正の内容】
【００１８】
本考案によれば、蓋部を備える本体の内部にペンスタンドを収納し、ペンスタンドが、本体の側面の内側に設けられた支点を中心に回転する機構を備え、蓋部を開状態にすると、垂直に立っている状態から斜めに傾くスタンド型ペンケースとしているので、ペンスタンドを傾けて、収納するペン等の中から必要なペンを容易に見つけることができ、見つけたペンを斜めから容易に取り出すことができる効果がある。